(57)【要約】  ワイヤレス通信で干渉を緩和するためのシステムおよび方法が開示される。例示的な方法は、1つまたは複数の被干渉デバイスからレスポンダデバイスを識別および/または区別するステップと、被干渉デバイスにパケットを送信するステップと、被干渉デバイスからチャネル測定値を取得するステップと、チャネル測定値に従ってビームを形成するステップと、ビームを使用してレスポンダデバイスと通信するステップとを含む。方法は、場合によっては、通信告知をブロードキャストするステップと、対応する1つまたは複数の被干渉デバイスによって提供された1つまたは複数の応答を受信するステップと、応答に基づいて被干渉デバイスを識別するステップとを含む。レスポンダデバイスに向かうビームを形成するステップは、第1の被干渉デバイスに向かうビームによって引き起こされる干渉を低減するために第1のチャネル測定値に基づいてアンテナ重みベクトルを決定するステップと、アンテナ重みベクトルに従ってビームを形成するステップとを含んでもよい。
2018526855.tif 000002
【特許請求の範囲】
【請求項１】
ビームフォーミングされたワイヤレス送信を送信および受信するように構成されたアンテナサブシステムと、
コントローラであって、
前記アンテナサブシステムを使用して、第1の被干渉デバイスから通信情報を取得すること、
前記第1の被干渉デバイスにパケットを送信すること、
前記第1の被干渉デバイスから第1のチャネル測定値を取得すること、
前記第1のチャネル測定値に従ってビームを形成すること、および
前記ビームを使用して形成された通信リンクを使用して第1のレスポンダデバイスと通信すること
を含む動作を実行するように構成され、前記第1の被干渉デバイスが、前記通信リンクに関して非関与デバイスを含む、コントローラと
を備える、ワイヤレスネットワーキングデバイス。
【請求項２】
前記動作が、
第2の被干渉デバイスに第2のパケットを送信することと、
前記第2の被干渉デバイスから第2のチャネル測定値を取得することと、
前記第1のチャネル測定値および前記第2のチャネル測定値に従って前記ビームを形成することと
をさらに含む、請求項1に記載のワイヤレスネットワーキングデバイス。
【請求項３】
前記動作が、
前記第1のレスポンダデバイスに前記パケットを送信することと、
前記第1のレスポンダデバイスから第1のレスポンダチャネル測定値を取得することと、
前記第1のレスポンダチャネル測定値に従って前記ビームを形成することと
をさらに含む、請求項1に記載のワイヤレスネットワーキングデバイス。
【請求項４】
前記動作が、
第2のレスポンダデバイスに前記パケットを送信することと、
前記パケットを送信することに応答して、前記第2のレスポンダデバイスから第2のレスポンダチャネル測定値を取得することと、
前記第1のチャネル測定値、前記第1のレスポンダチャネル測定値、および前記第2のレスポンダチャネル測定値に従って前記ビームを形成することと
をさらに含む、請求項3に記載のワイヤレスネットワーキングデバイス。
【請求項５】
前記第1のチャネル測定値に従って前記ビームを形成することが、
前記第1の被干渉デバイスに向かう前記ビームによって引き起こされる干渉を低減するために、前記第1のチャネル測定値に基づいてアンテナ重みベクトルを決定することと、
前記アンテナ重みベクトルに従って前記ビームを形成することと
を含む、請求項1に記載のワイヤレスネットワーキングデバイス。
【請求項６】
前記動作が、
通信告知をブロードキャストすることと、
前記通信告知に応答して前記通信情報を取得することと
をさらに含む、請求項1に記載のワイヤレスネットワーキングデバイス。
【請求項７】
前記動作が、前記ワイヤレスネットワーキングデバイスと前記第1のレスポンダデバイスとの間の最初の通信の後に前記第1の被干渉デバイスからBRP要求を受信することをさらに含む、請求項1に記載のワイヤレスネットワーキングデバイス。
【請求項８】
前記第1の被干渉デバイスからの前記通信情報が、前記第1の被干渉デバイスによって、および前記第1の被干渉デバイスが前記第1のレスポンダデバイスとイニシエータデバイスとの間の通信によってあらかじめ規定された程度まで干渉されるという決定に応答して、生成されるビームフォーム要求を含む、請求項1に記載のワイヤレスネットワーキングデバイス。
【請求項９】
前記動作が、
前記通信リンクに関連する状況の変化を検出することと、
前記第1の被干渉デバイスから更新されたチャネル測定値を取得することと、
前記更新されたチャネル測定値に従って更新されたビームを形成することと、
前記更新されたビームを使用して前記第1のレスポンダデバイスと通信することと
をさらに含む、請求項1に記載のワイヤレスネットワーキングデバイス。
【請求項１０】
請求項1に記載の方法をワイヤレスネットワーキングデバイスに実行させるように実行可能な機械可読命令を記憶した非一時的機械可読記録媒体であって、前記通信リンクを使用して前記第1のレスポンダデバイスと前記通信することが、60GHz通信を使用して前記第1のレスポンダデバイスと通信することを含む、非一時的機械可読記録媒体。
【請求項１１】
第1の被干渉デバイスから通信情報を取得するステップと、
前記第1の被干渉デバイスにパケットを送信するステップと、
前記第1の被干渉デバイスから第1のチャネル測定値を取得するステップと、
前記第1のチャネル測定値に従ってビームを形成するステップと、
前記ビームを使用して形成された通信リンクを使用して第1のレスポンダデバイスと通信するステップと
を含み、前記第1の被干渉デバイスが、前記通信リンクに関して非関与デバイスを含む、
方法。
【請求項１２】
第2の被干渉デバイスに第2のパケットを送信するステップと、
前記第2の被干渉デバイスから第2のチャネル測定値を取得するステップと、
前記第1のチャネル測定値および前記第2のチャネル測定値に従って前記ビームを形成するステップと
をさらに含む、請求項11に記載の方法。
【請求項１３】
前記第1のレスポンダデバイスおよび第2のレスポンダデバイスに前記パケットを送信するステップと、
前記第1のレスポンダデバイスから第1のレスポンダチャネル測定値を取得するステップと、
前記第2のレスポンダデバイスから第2のレスポンダチャネル測定値を取得するステップと、
前記第1のチャネル測定値、前記第1のレスポンダチャネル測定値、および前記第2のレスポンダチャネル測定値に従って前記ビームを形成するステップと
をさらに含む、請求11に記載の方法。
【請求項１４】
前記第1のチャネル測定値に従って前記ビームを形成するステップが、
前記第1の被干渉デバイスに対して前記ビームによって引き起こされる干渉を低減するために、前記第1のチャネル測定値に基づいてアンテナ重みベクトルを決定するステップと、
前記アンテナ重みベクトルに従って前記ビームを形成するステップと
を含む、請求項11に記載の方法。
【請求項１５】
ワイヤレスネットワーキングデバイスと前記第1のレスポンダデバイスとの間の最初の通信の後に前記第1の被干渉デバイスからBRP要求を受信するステップをさらに含む、請求項11に記載の方法。
【請求項１６】
前記第1の被干渉デバイスからの前記通信情報が、前記第1の被干渉デバイスによって、および前記第1の被干渉デバイスが前記第1のレスポンダデバイスとイニシエータデバイスとの間の通信によってあらかじめ規定された程度まで干渉されるという決定に応答して、生成されるビームフォーム要求を含む、請求項11に記載の方法。
【請求項１７】
前記通信リンクに関連する状況の変化を検出するステップと、
前記第1の被干渉デバイスから更新されたチャネル測定値を取得するステップと、
前記更新されたチャネル測定値に従って更新されたビームを形成するステップと、
前記更新されたビームを使用して前記第1のレスポンダデバイスと通信するステップと
をさらに含む、請求項11に記載の方法。
【請求項１８】
ワイヤレスネットワーキングデバイスであって、
ビームフォーミングされたワイヤレス送信を送信および受信するように構成されたアンテナサブシステムと、
コントローラであって、
前記アンテナサブシステムを使用して、送信機デバイスによって送られたパケットを検出すること、
前記ワイヤレスネットワーキングデバイスに関連するチャネル測定値情報を提供するために前記送信機デバイスからの許可を要求すること、および
前記チャネル測定値情報を前記送信機デバイスに提供すること
を含む動作を実行するように構成されたコントローラと
を備え、前記送信機デバイスに関して形成された通信リンクに関して非関与デバイスを含む、
ワイヤレスネットワーキングデバイス。
【請求項１９】
前記パケットが、レスポンダデバイスとのビームフォーミングされたワイヤレス通信の一部として前記パケットを識別する情報を含む、請求項18に記載のワイヤレスネットワーキングデバイス。
【請求項２０】
前記パケットが、複数のワイヤレスネットワーキングデバイスに対して前記送信機デバイスによってブロードキャストされた、前記複数のワイヤレスネットワーキングデバイスにレスポンダデバイスとのビームフォーミングされたワイヤレス通信に関する通信情報を提供するよう要求する告知として前記パケットを識別する情報を含む、請求項18に記載のワイヤレスネットワーキングデバイス。
【発明の詳細な説明】
【技術分野】
【０００１】
関連出願の相互参照
本出願は、その全体が参照により本明細書に組み込まれる、「SYSTEMS AND METHODS OF INTERFERENCE MITIGATION FOR CONCURRENT LINKS IN BEAMFORMED COMMUNICATION」という名称の、2015年7月8日に出願された米国仮特許出願第62/189,929号の利益および優先権を主張する。
【０００２】
本開示は、一般に、ワイヤレス通信に関し、詳細には、ワイヤレス通信に伴う干渉を緩和するためのシステムおよび方法に関する。
【発明の概要】
【発明が解決しようとする課題】
【０００３】
各々が複数のアンテナを有する送信機デバイスおよび受信機デバイスが、ビームフォーミングされたワイヤレス通信を可能にして互いの間でデータを送信するために、チャネル情報を交換する場合がある。このプロセスにより、送信機デバイスおよび受信機デバイスは、それらの通信リンクのパフォーマンスを高めるようにビームフォーミングの特性を調整するためにチャネル情報を使用することが可能になる。しがしながら、この従来のプロセスは、送信機デバイスと受信機デバイスとの間のビームフォーミングされたワイヤレス通信が非関与デバイス(non-participating device)(たとえば、異なる通信リンクを通じて通信している、送信機デバイスおよび受信機デバイス以外のデバイス)にもたらし得る干渉作用を考慮に入れることができない。したがって、当技術分野では、ワイヤレス通信リンクの予定関与者ではないデバイスに対する干渉作用を低減するための方法の必要がある。
【図面の簡単な説明】
【０００４】
【図１】1つまたは複数の被干渉(interferee)デバイスが存在するワイヤレス通信システムの一実施形態を示す概略図である。
【図２】1つまたは複数の被干渉デバイスが存在するワイヤレス通信システムの一実施形態を示す別の概略図である。
【図３】ビームフォーミングインタラクションを実施するワイヤレス通信システムの一実施形態を示す概略図である。
【図４】ビームフォーミングトレーニングを実施するワイヤレス通信システムの一実施形態を示す第2の概略図である。
【図５】ビームフォーミングトレーニングを実施するワイヤレス通信システムの一実施形態を示す第3の概略図である。
【図６】ワイヤレス通信システムの一実施形態を示す概略図である。
【図７】干渉緩和機能のあるワイヤレス通信システムの一実施形態を示す概略図である。
【図８】干渉緩和機能のあるワイヤレス通信システムの一実施形態を示す第2の概略図である。
【図９】干渉緩和機能のあるワイヤレス通信システムの一実施形態を示す第3の概略図である。
【図１０】干渉緩和機能のあるワイヤレス通信システムの一実施形態を示す第4の概略図である。
【図１１】干渉緩和機能のあるワイヤレス通信システムの一実施形態を示す第5の概略図である。
【図１２】干渉緩和機能のあるワイヤレス通信システムの一実施形態を示す第6の概略図である。
【図１３】ビームフォーミングされたワイヤレス通信における干渉を緩和するための方法の一実施形態を示すフローチャートである。
【図１４】干渉緩和機能のある例示的なワイヤレスネットワークデバイスの一実施形態を示すフローチャートである。
【図１５】干渉緩和機能のある例示的なワイヤレスネットワークデバイスの一実施形態を示す第2のフローチャートである。
【発明を実施するための形態】
【０００５】
本開示の実施形態およびそれらの利点は、以下の詳細な説明を参照することによって最も良く理解される。図のうちの1つまたは複数に示される同様の要素を識別するために、同様の参照番号が使用されるが、図中の表示は本開示の実施形態を説明するためであり、本開示の実施形態を限定するためではないことを諒解されたい。
【０００６】
本開示は、ビームフォーミングされた通信において同時であるがデバイスが分離される(device-segregated)通信リンク間の干渉を緩和するためのシステムを提供する。いくつかの実装形態では、レスポンダデバイスと通信するとき、送信機デバイスが、1つまたは複数の他の非関与デバイス、たとえば、レスポンダデバイスと送信機デバイスとの間に形成された通信リンクに関与していない第3のデバイスによって提供されるチャネル測定値情報を考慮に入れてもよい。送信機デバイスが、レスポンダデバイスとのワイヤレス通信を開始するので、送信機デバイスは、本開示ではイニシエータデバイス(または、イニシエータ)と呼ばれることもある。
【０００７】
送信機デバイスは、レスポンダデバイスとのその通信リンク(たとえば、通信のためのビームの形成方法)を変更するために、非関与デバイスによって提供されるチャネル測定値情報を使用してもよい。本開示の実施形態は、様々な技術的利点をもたらすことができる。第1に、非関与デバイスに対する(送信機デバイスとレスポンダデバイスとの間の通信によって引き起こされる)干渉を低減することができる。送信機デバイスとレスポンダデバイスとの間の通信が、非関与デバイス間の通信リンクの質を低下させることがあるので、非関与デバイスは、本開示では被干渉デバイスと呼ばれることもある。第2に、非関与デバイスが、イニシエータとレスポンダとの間のビームフォーミングプロセスを検出し、プロセスに関与する(またはしない)ことがあり、イニシエータもレスポンダも、非関与デバイスの存在をあらかじめ検出する必要がない。さらなる詳細および実装形態について、次に図と関連して説明する。
【０００８】
図1は、1つまたは複数の被干渉機(interferee)が存在するワイヤレス通信システム100の一実施形態を示す概略図である。図1は、送信機デバイス102とレスポンダデバイス104との間の通信リンクを示す。一実施形態では、通信リンクは、シングルユーザ(SU)の多入力多出力(MIMO)実装形態において、複数の空間ストリームを含んでもよい。ここでは、イニシエータ102とレスポンダ104との間の通信リンクは、被干渉機106と被干渉機108との間の通信リンクを劣化させる、または場合によってはこれに干渉することがある。たとえば、送信機デバイス102とレスポンダデバイス104との間の電磁波の送信が、被干渉機106と被干渉機108との間の送信に干渉する場合がある。
【０００９】
いくつかの実施形態では、ビームフォーミングは、ビームフォーミングプロセスのビーム微細調整フェーズ(BRP、beam refinement phase)において行われる。被干渉機106および108への干渉を低減させるために、シングルユーザのBRPプロセスが使用されてもよい。たとえば、イニシエータ102が、イニシエータ102へのBRPフィードバックを要求してもよく、被干渉機106および108がこれを提供してもよい。BRPフィードバックは、イニシエータ102と被干渉機(たとえば、被干渉機106および/または108)との間の干渉/通信リンクを記述するチャネル測定値情報(たとえば、アンテナアレイの現在の方向に基づく空間チャネル情報、周波数応答、インパルス応答、エネルギー方向、通信リンクベクトル、および/または他のチャネル測定値情報)を含んでもよく、これに基づいて、イニシエータ102は、レスポンダ104とのそのビームフォーミングされた通信リンクを変更してもよい。これらの技法は、被干渉機106および108間の通信リンクに対するイニシエータ102からの干渉を低減し得る。
【００１０】
図2は、1つまたは複数の被干渉機が存在するワイヤレス通信システム200の一実施形態を示す別の概略図である。図2は、イニシエータ202といくつかのレスポンダ(たとえば、204、206、および208)との間の通信リンクが、被干渉機210および212間の同時通信リンクへの干渉を引き起こす場合があるマルチユーザ(MU)のMIMOリンクを示す。いくつかの実装形態では、干渉を低減するために、図1に関して説明したものと同様のBRPフィードバックプロセスが使用されてもよい。
【００１１】
図3〜図5は、送信機デバイス(または、イニシエータ)が、様々なワイヤレス通信規格(たとえば、802.11ad、802.11n、802.11ac、新しく生まれた802.11axおよび802.11ay、ならびに/またはビームフォーミング技法を採用する他のワイヤレス通信規格)に従って、レスポンダデバイス(または、レスポンダ)との通信にビームを形成するために使用してもよい様々なプロセスを示す。図3に示すように、多数のアンテナ/アンテナ要素(たとえば、より一般的には、8、9、16、24、48、64、128、および/または一般的に4、5、もしくは8個のアンテナよりも大きい他の数のアンテナ)を含むアンテナアレイが使用される一実装形態300では、イニシエータが、ビームフォーミングのために、パケットのポストアンブル(たとえば、データパケットまたは他のタイプの送信パケットに付加され得るトレーニングポストアンブル「TRN-T」)を使用してもよい。イニシエータは、パケットのポストアンブルでビームフォーミングパターンを送ってもよく、応答してレスポンダは、BRPフィードバックをイニシエータに提供してもよい。BRPフィードバックは、イニシエータとレスポンダとの間の通信リンクに関するチャネル測定値情報を含んでもよい。
【００１２】
(たとえば、WirelessHDプロトコルおよび/または他の比較的高い帯域幅のワイヤレスプロトコルが使用される)いくつかの実装形態では、送信されるビームフォーミングパターンがあらかじめ規定され、レスポンダに知られている場合、レスポンダは、様々なアンテナのアンテナ重みベクトルを提供してもよい。いくつかの他の実装形態では、未処理のチャネル測定値情報は、イニシエータに送られてもよい。イニシエータは次いで、レスポンダとワイヤレスに通信するためにビームを形成するとき、チャネル測定値情報を使用してもよい。これらの特徴は、802.11adを含む様々なワイヤレス通信規格のいずれかを使用して、ワイヤレス通信に実装されてもよい。いくつかの実施形態では、イニシエータとレスポンダとの間でBRP情報が交換され、他の実施形態では、イニシエータとレスポンダとの間の通信リンクが、被干渉デバイス(たとえば、イニシエータによって送信されたデータ通信の予定受信者ではないデバイス)にあまり干渉しないように形成され得るように、被干渉デバイスもまた、それ自体のBRPフィードバックをイニシエータに提供してもよいことに留意されたい。
【００１３】
他の実装形態(たとえば、802.11acおよび/または802.11nを利用する実装形態など)では、ビームフォーミングは、ヌルデータパケット(NDP)送信技法によって提供されてもよい。図4に示すように、一実装形態400では、アンテナアレイが、比較的少数のアンテナ(たとえば、4個より少ない、またはたとえばどのアンテナよりも少ない(fewer than none antennas)複数のアンテナ)を含む場合があり、イニシエータが、レスポンダにビームフォーミングフィードバックを提供するよう求めて、レスポンダへの告知(たとえば、NDP告知)を行うことができる。いくつかの実装形態では、NDP告知を行った後、イニシエータはNDPをレスポンダに送り、レスポンダはアンテナアレイ係数またはビームフォーミング行列(たとえば、チャネル測定値情報のタイプ)をイニシエータに提供する。イニシエータは次いで、レスポンダとワイヤレスに通信するためにビームを形成するとき、アンテナアレイ係数またはビームフォーミング行列を考慮してもよい。これらの特徴は、たとえば、既存の802.11ac規格および802.11n規格、または次の802.11ax規格など、様々なワイヤレス通信規格の下で実装されてもよい。他の実装形態では、プロセス400は、より多数のアンテナ(たとえば、5個以上のアンテナ)があるシステムに実装されてもよい。
【００１４】
図5に示すように、一実装形態500では、イニシエータが、MU MIMOリンクにおいて2つ以上のレスポンダと通信してもよい。イニシエータは、2つ以上のレスポンダとワイヤレスに通信するためにビームを形成するとき、チャネル測定値情報(たとえば、アンテナアレイ係数またはビームフォーミング行列)を考慮してもよい。
【００１５】
図3〜図5に示す例示的な実装形態では、非関与デバイスがあるか、これらの非関与デバイスの間に通信リンクが存在するかを顧慮せずに、イニシエータと1つまたは複数のレスポンダとの間でビームフォーミング(またはBRP)フィードバックが交換され得ることに留意する。結果として、非関与デバイス間の通信リンクの品質は、イニシエータと1つまたは複数のレスポンダとの間の通信リンクによって悪影響を及ぼされる場合がある。この技術的問題に対処するために、いくつかの実装形態では、イニシエータとレスポンダとの間の通信が1つまたは複数の被干渉デバイスにあまり干渉しないように、被干渉デバイスもまた、それ自体のビームフォーミングフィードバックをイニシエータに提供してもよい。
【００１６】
いくつかの実装形態では、被干渉デバイスがイニシエータに提供するビームフォーミングフィードバックは、(イニシエータが被干渉デバイスに与える干渉の量を特定し得る)チャネル品質レポートだけでなく、ビームフォーミングのためのチャネル測定値情報もまた含んでもよい。いくつかの実装形態では、チャネル測定値情報は、無線周波数回路およびアンテナの応答を含む、チャネルの周波数応答である。いくつかの実装形態では、チャネル測定値情報は、チャネルのインパルス応答である。さらに、本開示に記載する技術は、チャネル品質レポートを考慮することによって実現されるものとは異なる技術的解決策を提供し、本明細書で提供する技術的解決策は、複数のワイヤレス通信リンク(たとえば、LAN)が存在する通信リンクを可能にするが、後者の解決策は複数のワイヤレス通信リンクが存在しないようにしようと試みる。
【００１７】
本開示の実施形態によれば、他のワイヤレスLANに対して最小の干渉で同時リンクを可能にするために、ビームフォーミングイニシエータは、ビームフォーミングレスポンダに対するビームフォーミング利得を最大にし、被干渉デバイスへの干渉を最小にしようと試みてもよい。これらの実装形態では、被干渉デバイスが、送信機ビームフォーミングプロセスに関与することを可能にされる、または要求される。
【００１８】
図6は、干渉緩和機能を実装することができるワイヤレス通信システム600の一実施形態を示す概略図である。ワイヤレス通信システム600は、データソース602と、データ受信機インターフェース604と、送信機デバイス620と、レスポンダデバイス630と、データポートインターフェース652と、データレンダラ654と、データシンク656とを含んでもよい。データソース602は、データを記憶し、レスポンダデバイス630に送信するために送信機デバイス620にデータを提供してもよい。データソース602は、別のコンピューティングデバイスに送信するためにデータを提供するコンピューティングデバイスであってもよい。いくつかの実装形態では、データソース602は、ワイドエリアネットワークに接続するためのルーティングデバイスであってもよい。様々な実装形態では、データソースは、ラップトップ、スマートフォン、タブレットコンピュータ、デスクトップコンピュータ、ノートブックコンピュータ、および/または他のユーザデバイスであってもよい。データ受信機インターフェース604は、データソース602からデータを取得し、データを送信機デバイス620に提供してもよい。
【００１９】
送信機デバイス620およびレスポンダデバイス630は、同様のハードウェア構成要素を有してもよく、互いと、および他の非関与デバイスと、ワイヤレスに通信してもよい。送信機デバイスおよびレスポンダデバイスは、半二重または全二重のいずれかであってもよい。送信機デバイス620は、コントローラ622と、ベースバンド信号プロセッサ624と、アダプティブビームフォーミングアンテナ626と、ワイヤレス通信チャネルインターフェース628(たとえば、アンテナサブシステム)とを含んでもよく、ワイヤレス通信チャネルインターフェース628は、図示のように、コントローラ622、ベースバンド信号プロセッサ624、および/またはアダプティブビームフォーミングアンテナ626の全てまたは部分を含んでもよい。レスポンダデバイス630は、コントローラ632と、ベースバンド信号プロセッサ634と、アダプティブビームフォーミングアンテナ636と、ワイヤレス通信チャネルインターフェース638(たとえば、アンテナサブシステム)とを含んでもよく、ワイヤレス通信チャネルインターフェース638は、図示のように、コントローラ632、ベースバンド信号プロセッサ634、および/またはアダプティブビームフォーミングアンテナ636の全てまたは部分を含んでもよい。コントローラ(622または632)は、本開示に記載する1つまたは複数の干渉緩和機能を用いてビームフォーミング動作を実行するように構成されてもよい。ベースバンド信号プロセッサ(624または634)は、無線機能(たとえば、Wi-FiおよびBluetooth(登録商標)無線機能、ならびにアンテナまたはアンテナアレイを必要とする他の機能)を管理するように構成されてもよい。様々な実施形態では、送信機デバイス620または(たとえば、被干渉デバイスに類似する)レスポンダデバイス630のアンテナサブシステムが、一般的に、少なくともアダプティブビームフォーミングアンテナ(たとえば、アダプティブビームフォーミングアンテナ626または636)を含む。
【００２０】
コントローラ622/632、ベースバンド信号プロセッサ624/634、およびアダプティブビームフォーミングアンテナ626/636は、各々、たとえば、システム100の共同コントローラ(co-controller)120、送信機122、受信機126、および/または他のモジュールの様々な動作を制御するための制御ループを実装するソフトウェア命令など、適切な命令を実行、記憶、および/または受信するように適合され得る任意の適切な論理デバイス(たとえば、処理デバイス、マイクロコントローラ、プロセッサ、特定用途向け集積回路(ASIC)、フィールドプログラマブルゲートアレイ(FPGA)、メモリストレージデバイス、メモリリーダ、または他のデバイスもしくはデバイスの組合せ)として、またはそのような論理デバイスとともに実装されてもよい。そのようなソフトウェア命令はまた、パケットを送受信するための方法、通信リンクをビームフォーミングするための方法、チャネル測定値情報を決定するための方法、デバイスに動作パラメータを照会するための方法、デバイスのために動作パラメータを選択するための方法、および/または本明細書で説明する様々な方法のいずれかを実施するための方法を実施してもよい。
【００２１】
アダプティブビームフォーミングアンテナ(626または636)は、送信機または受信機および対応するアンテナ/アンテナ要素のアレイを用いて、アダプティブ空間信号処理を実行するように構成されてもよい。信号は、選択された方向への/からの信号強度を上げる、および/またはワイヤレス通信チャネル/通信リンク650を形成するようにして合成される。他の方向への/からの信号は、害のないようにまたは弱め合うようにして合成され、望ましくない方向への/からの信号の強化または低下がもたらされる。制御インターフェース(621または631)は、たとえば、アンテナ方向を変えること、または特定の方向への信号強度を調整することを含む、コントローラがアダプティブビームフォーミングアンテナを管理することを可能にする。レスポンダデバイスのコントローラは、データポートインターフェース652と通信可能に接続されてもよく、データポートインターフェース652は、レスポンダデバイスがデータレンダラ654を介してデータシンク656と対話すること(たとえば、データを記憶、変更、および/または通信すること)を可能にする。いくつかの実装形態では、構成要素622、624、および626(または、632、634、および636)は、図示のように、ワイヤレス通信チャネルインターフェースと総称される。
【００２２】
図7〜図12は、干渉緩和プロセスのいくつかの例示的な実装形態を示す。いくつかの実装形態では、被干渉機が、シングルユーザ(SU)ビームフォーミング、またはユーザ当たり1つもしくは複数の空間ストリームのあるマルチユーザ(MU)ビームフォーミングのいずれかに関与してもよい。いくつかの実装形態では、イニシエータが、1つまたは複数の潜在的被干渉機にポーリングし、これらの被干渉機からチャネル測定値情報を取得することができる。レスポンダから取得されたチャネル測定値情報、および少なくとも1つの被干渉機から取得されたチャネル測定値情報に従って、送信機は、レスポンダと通信するためにビームを形成してもよい。これらの技術は、1つまたは複数の被干渉機(たとえば、被干渉デバイス106および108)への干渉を低減し、イニシエータと1つまたは複数のレスポンダとの間の通信リンクの品質を向上させることができる。
【００２３】
図7は、干渉緩和機能のあるワイヤレス通信システム700の一実施形態を示す概略図である。図7に示すように、イニシエータ702が、1つまたは複数の潜在的な被干渉機706および708にBRPポールを送って、潜在的な被干渉機からのBRPフィードバックの一部としてチャネル測定値情報を要求してもよい。イニシエータ702は、次いで、レスポンダ704とワイヤレスに通信するためにビームを形成するとき、レスポンダ704から取得したチャネル測定値情報、ならびに被干渉機706から、被干渉機708から、または両方から取得したチャネル測定値情報を考慮に入れてもよい。
【００２４】
図8は、干渉緩和機能のあるワイヤレス通信システムの一実施形態を示す第2の概略図である。イニシエータが、潜在的な被干渉機からBRPフィードバックを要求するための別の方法を使用してもよい。たとえば、図8に示すように、イニシエータが、パケットのポストアンブルとすることができるトレーニングデータパケット(TRN-T)とともに各BRPポールを送ってもよい。BRPポールにポストアンブルが付随しているかどうかは、イニシエータによって決定され、他のデバイス(たとえば、レスポンダデバイスまたは被干渉デバイス)に知らされてもよい。他の実装形態では、被干渉デバイスが、イニシエータがビームフォーミングプロセスに加わる要求を送るとき、イニシエータがBRPポールにポストアンブルを含むことを要求してもよい。図7に関して説明したものと同様に、イニシエータ802は、レスポンダ804とワイヤレスに通信するためにビームを形成するとき、レスポンダ804から取得したチャネル測定値情報、ならびに被干渉機806から、被干渉機808から、または両方から取得したチャネル測定値情報を考慮に入れてもよい。
【００２５】
図1に示す例では、被干渉機106によって提供されるチャネル測定値情報は、被干渉機106のアンテナが被干渉機108のアンテナにまっすぐに向いていることを特定してもよい。図6〜図7に示す例では、イニシエータが、被干渉機によって提供されたチャネル測定値情報に基づいて、被干渉機への干渉を低減するためにアンテナ重みベクトル(たとえば、最適ベクトル)を決定してもよい。代替的に、チャネル測定値情報は、レスポンダに提供されてもよく、レスポンダは、イニシエータのための最適アンテナ重みベクトルを計算してもよい。これらの実装形態では、BRPポールが、イニシエータによって潜在的な被干渉機に送られてもよい。BRPフィードバックは、アンテナ重みベクトルを有する送信機トレーニングの最後のパケットであってもよい。
【００２６】
図7〜図8および図11〜図12(以下でより詳細に説明する)に示す実装形態では、イニシエータが、次のビームフォーミングプロセスを告知するためにTRN-Tトレーニングシーケンスを付加せずに1つまたは複数の被干渉機にBRP送信機トレーニング要求(BRP-T-REQ)フレームを送ることによってレスポンダとのBRPプロセスを始める。いくつかの実装形態では、イニシエータは、各被干渉機に別個のBRP-T-REQフレームを送る。BRP-T-REQフレームは、イニシエータと被干渉機との間の位相を同期するという目的にかなう。BRP-T-REQフレームを送った後、イニシエータは、レスポンダにポストアンブルのトレーニングシーケンス(たとえば、TRN-Tパケット)のあるBRP-T-REQフレームを送ることによって、レスポンダとのBRPトレーニングプロセスを開始する。レスポンダは、TRN-TパケットのあるBRP-T-REQフレームを受信し、BRP送信機トレーニングフィードバック(BRP-TFDB)フレームでイニシエータに応答する。イニシエータおよびレスポンダはBRPトレーニングプロセスを遂行しながら、被干渉デバイスは、別個であるが同時の通信リンクを使用して互いに通信してもよい。
【００２７】
レスポンダからBRP-T-FDBフレームを受信した後に、イニシエータは、1つまたは複数の被干渉機からフィードバック(たとえば、BRP-T-FDBフレーム)を集めるために、それらにBRPポールフレームを送ってもよい。被干渉機がイニシエータとレスポンダとの間のBRPトレーニング、またはBRPポールフレームを見落とす場合、イニシエータは、被干渉機からフィードバックを受信しないことがある。いくつかの実装形態では、BRPポールを送った後に所定の時間量が経過した後、イニシエータが被干渉機からフィードバックを受信しない場合、イニシエータは、被干渉機がもはやアクティブではないと仮定し、したがって、レスポンダとの通信時に被干渉機に関するチャネル測定値情報を考慮しない。他の実装形態では、イニシエータは、被干渉機がイニシエータから干渉を受けていないと考えてもよい。
【００２８】
あらかじめ規定された数の被干渉機(たとえば、干渉機の全部またはサブセット)からフィードバックを収集した後、イニシエータは、各レスポンダまたは各被干渉機に対して複合チャネル応答を計算してもよい。複合チャネル応答は、MIMOチャネルと、受信機に適用されるアンテナ重みとを含んでもよい。イニシエータは次いで、送信ビームフォーミングベクトルを計算し、被干渉機の複合チャネル応答に対するノッチ(notch)を有する送信パターンを生成し、それによって、被干渉機への干渉の量を低減させて、レスポンダに適正なビームフォーミング利得を与えてもよい。ゼロフォーシングまたはその正規化バージョンを使用して、ビームフォーミングベクトルが計算されてもよい。ゼロフォーシングビームフォーミングは、イニシエータからレスポンダへのビームを、被干渉機の複合チャネル応答によって形成される零空間に発射する。正規化ゼロフォーシングビームフォーミングは、ゼロフォーシングビームフォーミングの修正バージョンであり、被干渉機への干渉がしきい値量を下回ることを可能にする。正規化ゼロフォーシングビームフォーミングの1つのバージョンは、ノイズおよび干渉の合算を最小にするために、ノイズおよび干渉の量のバランスをとる。
【００２９】
いくつかの実装形態では、イニシエータが、すべての非関与デバイスを被干渉機と考える。たとえば、図1に示すように、イニシエータ102は、デバイス106とデバイス108の両方を被干渉機と考えてもよい。いくつかの他の実装形態では、イニシエータが、非関与デバイスのサブセットのみを被干渉機と考える。たとえば、イニシエータ102は、デバイス106を被干渉機と考え、両方がデバイス108を被干渉機と考えない場合がある。したがってこの場合、イニシエータ102は、デバイス108からビームフォーミングフィードバックを要求しなくてもよい。
【００３０】
図9は、干渉緩和機能のあるワイヤレス通信システムの一実施形態を示す第3の概略図である。図9に示すように、いくつかの実装形態では、イニシエータ902が、潜在的な被干渉デバイス906および908にNDP告知を行い、その後NDPが続いてもよい。NDP告知が、できるだけ多くの方向に位置している被干渉デバイスにブロードキャストされ得、それによってできるだけ多くの潜在的な被干渉デバイスに届くように、イニシエータ902は、オムニ指向性アンテナを使用してNDP告知を送信してもよい。図7に関して説明したものと同様に、イニシエータ902は、レスポンダ904とワイヤレスに通信するためにビームを形成するとき、レスポンダ904から取得したチャネル測定値情報、ならびに被干渉機906から、被干渉機908から、または両方から取得したチャネル測定値情報を考慮に入れてもよい。
【００３１】
図10〜図12は、被干渉デバイスがMU-MIMOビームフォーミングプロセスに関与する例示的な実装形態を示す。図10に示すように、いくつかの実装形態では、イニシエータ1002が、3つのレスポンダ1004、1006、および1008、ならびに1つまたは複数の潜在的な被干渉機1006および1008にBRPポールを送って、レスポンダからの、および潜在的な被干渉機からのBRPフィードバックの一部としてチャネル測定値情報を要求してもよい。イニシエータ1002は、次いで、レスポンダとワイヤレスに通信するためにビームを形成するとき、レスポンダ1004、1006、および1008から取得したチャネル測定値情報、ならびに被干渉機1010から、被干渉機1012から、または両方から取得したチャネル測定値情報を考慮に入れてもよい。いくつかの実装形態では、イニシエータが、イニシエータとの強いMU-MIMO通信リンクがない1つまたは複数のレスポンダに告知を行う必要があってもよい。
【００３２】
図11に示すように、いくつかの実装形態では、イニシエータ1102が、2つ以上のレスポンダ1104、1106、および1108、ならびに1つまたは複数の潜在的な被干渉機1110および1112に、BRPポールを送ってもよい。BRPポール1114にはポストアンブルが付随しないが、BRPポール1116にはポストアンブルが付随する。いくつかの実装形態では、ポーリングされるレスポンダ(たとえば、レスポンダ1108)に、イニシエータ1102との強い通信リンクがないので、BRPポールにはポストアンブルが付随する。これらの状況では、イニシエータは、レスポンダデバイス(または、被干渉デバイス)にポストアンブルを送信してもよい。1つまたは複数のレスポンダおよび1つまたは複数の被干渉機からのすべてのチャネル測定値を集めた後、イニシエータは、システムパフォーマンスを最適化するために、ビームフォーミング行列を提供することができる。いくつかの実装形態では、イニシエータは、1つまたは複数の被干渉機への干渉の一定の基準に従って、1つまたは複数のレスポンダに対する全体的なスループットを最大にしてもよい。
【００３３】
図12に示すように、いくつかの実装形態では、イニシエータ1202が、2つ以上のレスポンダ1204、1206、および1208、ならびに1つまたは複数の潜在的な被干渉機1210および1212に、その後にNDPが続くNDP告知をブロードキャストしてもよい。いくつかの実装形態では、イニシエータが、存在する被干渉機の数またはそれらのそれぞれの位置を確定できないとき、告知ブロードキャストが使用され、告知を受信することに応答して、被干渉機が、告知に応答することによってそれ自体をイニシエータに知らせることができる。
【００３４】
図13は、ビームフォーミングされたワイヤレス通信における干渉を緩和するための方法の一実施形態を示すフローチャートである。イニシエータ1302によるレスポンダ1304へのパケットは、被干渉機1306および1308への干渉を引き起こす場合もある。いくつかの実装形態では、これらの干渉を低減するために、影響を受ける被干渉機もまた、干渉のソース(たとえば、イニシエータ1302)にBRP被干渉機要求を送ってもよい。ビームフォーミングトレーニングデータは、トレーニングに使用されるヌルデータパケットを含んでもよい。ビームフォーミングトレーニングデータはまた、ビームフォーミングまたは(干渉が考慮されない)初期ビームフォーミングプロセスの微細調整に使用されるトレーニングシーケンスを含んでもよい。
【００３５】
(1)(被干渉機間で)同時リンクへの干渉を低減することと、(2)レスポンダへのビームフォーミング利得を増やすこととの間で最適化を実現するために、種々のアルゴリズムが実装されてもよい。干渉を低減することに関して、いくつかの実装形態では、同時リンクに引き起こされる干渉は、分析的にゼロとなるように要求されてもよく、他の実装形態では、同時リンクへのあらかじめ規定されたしきい値量の干渉が許容される。レスポンダへのビームフォーミング利得を増やすことに関して、いくつかの実装形態では、しきい値量のビームフォーミング利得が要求されてもよい。いくつかの実装形態では、種々の考慮事項のバランスをとるために、ビームフォーミングからの増分利得が、干渉の対応する増加を考慮して分析されてもよい。
【００３６】
様々な実装形態では、本開示に開示する技術は、通信プロトコルとして実装されてもよい。たとえば、所与のポイントにおいてどの通信リンクがアクティブであるかに応じて、異なるデバイスが、異なる役割(被干渉機、送信機、およびレスポンダ)を引き受けてもよい。いくつかの実装形態では、所与の送信機と種々の被干渉機との間のチャネル測定値情報が取得されるとき、送信機に対して、反復微細調整(iterative refinement)または複数回反復微細調整(multi-iteration refinement)が行われてもよい。いくつかの実装形態では、いくつかの同時リンクが、優先ビームフォーミング利得、または他の送信機によって引き起こされる同時リンクへの干渉の最大量の許容値を、明示的または暗黙的に割り当てられてもよい。場合によっては、そのような優先順位または許容値を循環させる、または割り振ることがある。いくつかの実装形態では、フォールバック機能が提供される。たとえば、通信リンクは、他のリンクによって引き起こされる干渉が、通信リンクが許容できるものよりも高いために、他の通信リンクがアクティブである間、アクティブになるのを控えてもよい。たとえば、いくつかの通信リンクのうちのどの通信リンクが非アクティブ化される、または非アクティブに維持されるべきかを決定するために、調停機構が採用されてもよい。
【００３７】
図14は、送信機側で干渉を緩和するための例示的な方法1400の一実施形態を示す第2のフローチャートである。いくつかの実装形態では、方法1400は、レスポンダデバイスおよび第1の被干渉デバイスを識別するステップ(1402)と、アンテナサブシステムを使用して、第1の被干渉デバイスにパケット(たとえば、トレーニングパケット、NDP、データパケット、BRPプロセス開始パケット、または他の通信パケット)を送信するステップ(1404)と、パケットを送信することに応答して、第1の被干渉デバイスから第1のチャネル測定値を取得するステップ(1406)と、第1のチャネル測定値に従ってビームを形成するステップ(1408)と、ビームを使用してレスポンダデバイスと通信するステップ(1410)とを含む。
【００３８】
いくつかの実装形態では、方法1400は、第2の被干渉デバイスにパケットを送信するステップと、パケットを送信することに応答して、第2の被干渉デバイスから第2のチャネル測定値を取得するステップと、第2のチャネル測定値に従ってビームを形成するステップとをさらに含む。いくつかの実装形態では、方法1400は、第2の被干渉デバイスに第2のパケットを送信するステップと、第2のパケットを送信することに応答して、第2の被干渉デバイスから第2のチャネル測定値を取得するステップと、第2のチャネル測定値に従ってビームを形成するステップとをさらに含む。いくつかの実装形態では、方法1400は、レスポンダデバイスにパケットを送信するステップと、パケットを送信することに応答して、レスポンダデバイスから第2のチャネル測定値を取得するステップと、第2のチャネル測定値に従ってビームを形成するステップとをさらに含む。いくつかの実装形態では、方法1400は、レスポンダデバイスにパケットを送信するステップと、パケットを送信することに応答して、レスポンダデバイスから第2のチャネル測定値を取得するステップと、第2のチャネル測定値に従ってビームを形成するステップとをさらに含む。いくつかの実施形態では、ワイヤレスネットワーキングデバイス、レスポンダデバイス、および第1の被干渉デバイスは、同じ通信プロトコルを使用して互いに通信する。
【００３９】
いくつかの実装形態では、方法1400は、第1の被干渉デバイスに関連する干渉最小化優先順位を決定するステップと、干渉最小化優先順位に従ってビームを形成するステップとをさらに含む。いくつかの実装形態では、ビームを使用してレスポンダデバイスと通信するステップは、60GHzミリメートル波通信(たとえば、60GHz周波数帯上にならびに/または802.11ayおよび/もしくは他のワイヤレス通信規格などの互換性がある規格に従って確立された通信リンク)を使用してレスポンダデバイスと通信するステップを含む。いくつかの実装形態では、第1のチャネル測定値に従ってビームを形成するステップは、第1の被干渉デバイスに向かうビームによって引き起こされる干渉を低減するために第1のチャネル測定値に基づいてアンテナ重みベクトルを決定するステップと、アンテナ重みベクトルに従ってビームを形成するステップとを含む。
【００４０】
いくつかの実装形態では、方法1400は、通信告知をブロードキャストするステップと、通信告知に応答して、第1の被干渉デバイスによって提供される応答を受信するステップと、応答に基づいて第1の被干渉デバイスを識別するステップとをさらに含む。いくつかの実装形態では、通信告知は、ワイヤレスネットワーキングデバイスに関連付けられたネットワークアドレス、およびレスポンダデバイスに関連付けられたネットワークアドレスを含む。
【００４１】
図15は、レスポンダまたは被干渉機側で干渉を緩和するための例示的な方法1500の一実施形態を示す第2のフローチャートである。いくつかの実装形態では、方法1500は、送信機デバイスによって送られたパケットを検出するステップ(1502)と、ワイヤレスネットワーキングデバイスに関連するチャネル測定値情報を提供するために送信機デバイスによる許可を要求するステップ(1504)と、要求が認められるという決定に応じて、アンテナサブシステムを使用して、送信機デバイスにチャネル測定値情報を提供するステップ(1506)とを含み、ワイヤレスネットワーキングデバイスは、送信機デバイスに関して形成された(たとえば、送信機デバイスと形成された)通信リンクに関して非関与デバイスを含む。送信機デバイスは、次いで、チャネル測定値情報に従って、ワイヤレスネットワーキングデバイス以外のレスポンダデバイスとのビームフォーミングされたワイヤレス通信を変更してもよい。
【００４２】
いくつかの実装形態では(たとえば、60GHz通信を使用する通信ネットワークでは)、送信機からの告知または第1のBRPフレームの後に、BRPプロセスに関与することを決定した被干渉機は、そのRxアンテナを、同時通信リンクの相手側ではなく送信機に向けるように構成されてもよい。
【００４３】
いくつかの実装形態では、検出されたパケットは、レスポンダデバイスとのビームフォーミングされたワイヤレス通信の一部としてパケットを識別する情報を含む。いくつかの実装形態では、検出されたパケットは、複数の通信デバイスに対して送信機デバイスによってブロードキャストされた、複数の通信デバイスにレスポンダデバイスとのビームフォーミングされたワイヤレス通信に関する情報を提供するよう要求する告知としてパケットを識別する情報を含む。様々な実施形態では、ワイヤレスネットワーキングデバイス、送信機デバイス、およびレスポンダデバイスは、同じ通信プロトコルおよび/または1つ/複数の同じ周波数帯(たとえば、60GHz帯など、特定のワイヤレス規格に関連する周波数帯)を使用して互いに通信するように構成されてもよい。いくつかの実装形態では、データパケットは、ワイヤレスネットワーキングデバイスに関連付けられたネットワークアドレス、およびレスポンダデバイスに関連付けられたネットワークアドレスを含む。上記で説明した1つまたは複数のステップは、任意の数の干渉が存在すると仮定されるときなど、オプションであってもよい。
【００４４】
したがって、ビームフォーミングされる通信における同時リンクへの干渉を緩和するためのシステムおよび方法が開示される。いくつかの実装形態では、ネットワーキングデバイス(たとえば、送信機デバイス)が、コントローラと、ビームフォーミングされたワイヤレス送信を生成するように構成されたアンテナサブシステムとを備える。コントローラは、レスポンダデバイスおよび第1の被干渉デバイスを識別することと、アンテナサブシステムを使用して、第1の被干渉デバイスにデータパケットを送信することと、データパケットを送信することに応答して、第1の被干渉デバイスから第1のチャネル測定値を取得することと、両方のチャネル測定値に従ってビームを形成することと、ビームを使用してレスポンダデバイスと通信することとを行うように構成されてもよい。いくつかの実施形態では、コントローラは、第2の被干渉デバイスにデータパケットを送信することと、データパケットを送信することに応答して、第2の被干渉デバイスから第2のチャネル測定値を取得することと、すべてのチャネル測定値に従ってビームを形成することとを行うようにさらに構成されてもよい。他の実施形態では、コントローラは、第2の被干渉デバイスに第2のデータパケットを送信することと、第2のデータパケットを送信することに応答して、第2の被干渉デバイスから第2のチャネル測定値を取得することと、すべてのチャネル測定値に従ってビームを形成することとを行うように構成される。コントローラは次いで、レスポンダデバイスにデータパケットを送信し、データパケットを送信することに応答して、レスポンダデバイスから第2のチャネル測定値を取得し、すべてのチャネル測定値に従ってビームを形成してもよい。様々な実施形態では、ワイヤレスネットワーキングデバイス、レスポンダデバイス、および被干渉デバイスは、本明細書で説明するように、同じ通信プロトコルを使用して互いに通信するように構成されてもよい。
【００４５】
さらなる実施形態では、コントローラは、第1の被干渉デバイスに関連する干渉最小化優先順位を決定することと、干渉最小化優先順位に従ってビームを形成することとを行うように構成されてもよい。ビームを使用したレスポンダデバイスとの通信は、60GHz帯でレスポンダデバイスと通信することを含んでもよい。第1のチャネル測定値に従ってビームを形成するステップは、第1の被干渉デバイスに向かうビームによって引き起こされる干渉を低減するために第1のチャネル測定値に基づいてアンテナ重みベクトルを決定するステップと、アンテナ重みベクトルに従ってビームを形成するステップとを含んでもよい。コントローラは、通信告知をブロードキャストすることと、通信告知に応答して、第1の被干渉デバイスによって提供される応答を受信することと、応答に基づいて第1の被干渉デバイスを識別することとを行うように構成されてもよい。いくつかの実施形態では、通信告知は、ワイヤレスネットワーキングデバイスに関連付けられたネットワークアドレス、およびレスポンダデバイスに関連付けられたネットワークアドレスを含む。
【００４６】
別の実装形態では、ワイヤレスネットワーキングデバイス(たとえば、被干渉デバイス)が、コントローラと、ビームフォーミングされたワイヤレス送信を検出するように構成されたアンテナサブシステムとを備える。コントローラは、送信機デバイスによって送られたデータパケットを検出することと、ワイヤレスネットワーキングデバイスに関連するチャネル測定値情報を提供するために送信機デバイスによる許可を要求することと、要求が認められるという決定に応じて、アンテナサブシステムを使用して、ワイヤレスネットワーキングデバイスに関連するチャネル測定値情報を送信機デバイスに提供することとを行うように構成されてもよい。送信機デバイスは、チャネル測定値情報に従って、ワイヤレスネットワーキングデバイス以外のレスポンダデバイスとのビームフォーミングされたワイヤレス通信を変更する。様々な実施形態では、データパケットは、たとえば、レスポンダデバイスとのビームフォーミングされたワイヤレス通信の一部としてデータパケットを識別する情報、および/または複数の通信デバイスに対して送信機デバイスによってブロードキャストされた、複数の通信デバイスにレスポンダデバイスとのビームフォーミングされたワイヤレス通信に関する情報を提供するよう要求する告知としてデータパケットを識別する情報を含む。
【００４７】
いくつかの実施形態では、ワイヤレスネットワーキングデバイス、送信機デバイス、およびレスポンダデバイスは、たとえば、同じ通信プロトコルを使用して互いに通信し、ビームフォーミングされたワイヤレス通信は、60GHz帯で行われる。いくつかの実施形態では、データパケットは、ワイヤレスネットワーキングデバイスに関連付けられたネットワークアドレス、およびレスポンダデバイスに関連付けられたネットワークアドレスを含む。
【００４８】
様々な実施形態では、被干渉機に送信される干渉を最小にするための方法が、第1の被干渉デバイスから通信情報(たとえば、通信チャネル情報、チャネル測定値情報、ビームフォーミングプロセスへの関与の要求、および/または他の通信情報)を取得するステップと、第1の被干渉デバイスにパケットを送信するステップと、パケットを送信することに応答して、第1の被干渉デバイスから第1のチャネル測定値を取得するステップと、第1のチャネル測定値に従ってビームを形成するステップと、ビームを使用して形成された通信リンクを使用して第1のレスポンダデバイスと通信するステップとを含むことができ、第1の被干渉デバイスは、通信リンクに関して非関与デバイスを含む。方法は、複数の被干渉デバイスから第2の被干渉デバイスを選択するステップと、第2の被干渉デバイスにパケットを送信するステップと、パケットを送信することに応答して、第2の被干渉デバイスから第2のチャネル測定値を取得するステップと、第1のチャネル測定値および第2のチャネル測定値に従ってビームを形成するステップとをさらに含んでもよい。方法は、複数の被干渉デバイスから第2の被干渉デバイスを選択するステップと、第2の被干渉デバイスに第2のパケットを送信するステップと、第2のパケットを送信することに応答して、第2の被干渉デバイスから第2のチャネル測定値を取得するステップと、第1のチャネル測定値および第2のチャネル測定値に従ってビームを形成するステップとをさらに含んでもよい。
【００４９】
いくつかの実施形態では、方法は、第1のレスポンダデバイスにパケットを送信するステップと、パケットを送信することに応答して、第1のレスポンダデバイスから第1のレスポンダチャネル測定値を取得するステップと、第1のレスポンダチャネル測定値に従ってビームを形成するステップとをさらに含んでもよい。方法は、第2のレスポンダデバイスにパケットを送信するステップと、パケットを送信することに応答して、第2のレスポンダデバイスから第2のレスポンダチャネル測定値を取得するステップと、第1のチャネル測定値、第1のレスポンダチャネル測定値、および第2のレスポンダチャネル測定値に従ってビームを形成するステップとをさらに含んでもよい。方法は、第1の被干渉デバイスに関連する干渉最小化優先順位を決定するステップと、干渉最小化優先順位に従ってビームを形成するステップとをさらに含んでもよい。いくつかの実施形態では、ビームを使用して第1のレスポンダデバイスと通信するステップは、60GHz通信を使用して第1のレスポンダデバイスと通信するステップを含むことができる。いくつかの実施形態では、第1のチャネル測定値に従ってビームを形成するステップは、第1の被干渉デバイスに向かうビームによって引き起こされる干渉を低減するために第1のチャネル測定値に基づいてアンテナ重みベクトルを決定するステップと、アンテナ重みベクトルに従ってビームを形成するステップとを含む。
【００５０】
関係する実施形態では、方法は、通信告知をブロードキャストするステップと、通信告知に応答して通信情報を取得するステップとをさらに含んでもよい。いくつかの実施形態では、通信告知は、レスポンダデバイスに関連付けられたネットワークアドレスを含む。いくつかの実施形態では、第1のチャネル測定値に従ってビームを形成するステップは、第1のチャネル測定値に従ってビームを微細調整するステップを含む。
【００５１】
いくつかの実施形態では、方法は、イニシエータデバイスによって実行され、イニシエータデバイスと第1のレスポンダデバイスとの間の最初の通信の後に、第1の被干渉デバイスからBRP要求を受信するステップもまた含んでもよい。
【００５２】
いくつかの実施形態では、方法は、イニシエータデバイスによって実行され、第1の被干渉デバイスからの通信情報は、第1の被干渉デバイスによって、第1の被干渉デバイスが第1のレスポンダデバイスとイニシエータデバイスとの間の通信によってあらかじめ規定された程度まで干渉されるという決定に応答して、生成されるビームフォーム要求を含む。いくつかの実施形態では、第1のチャネル測定値に従ってビームを形成するステップは、ビームに関連する信号強度を変更するステップを含む。いくつかの実施形態では、第1の被干渉デバイスおよび第1のレスポンダデバイスは、同じ通信ネットワーク内にある。
【００５３】
いくつかの実施形態では、方法は、イニシエータデバイスによって実行され、イニシエータデバイス、第1の被干渉デバイス、および第1のレスポンダデバイスは、同じ通信プロトコルを使用して互いに通信する。いくつかの実施形態では、第1のチャネル測定値は、第1の被干渉デバイスに関連するアンテナの方向を含む。
【００５４】
さらなる実施形態では、方法は、第1の被干渉デバイスとは異なる第2の被干渉デバイスを、ビームの形成に関与しないものとして決定するステップをさらに含んでもよい。方法は、第1のレスポンダデバイスとの通信に関連する状況の変化を検出するステップと、状況の変化を検出することに応答して、第1の被干渉デバイスから更新されたチャネル測定値を取得するステップと、更新されたチャネル測定値に従って更新されたビームを形成するステップと、更新されたビームを使用して第1のレスポンダデバイスと通信するステップとをさらに含んでもよい。
【００５５】
適用可能な場合、本開示によって提供された様々な実施形態は、ハードウェア、ソフトウェア、またはハードウェアおよびソフトウェアの組合せを使用して実施され得る。同じく適用可能な場合、本明細書に記載する様々なハードウェア構成要素および/またはソフトウェア構成要素は、本開示の趣旨から逸脱することなく、組み合わせられてソフトウェア、ハードウェア、および/または両方を含む複合構成要素となり得る。適用可能な場合、本明細書に記載する様々なハードウェア構成要素および/またはソフトウェア構成要素は、本開示の趣旨から逸脱することなく、ソフトウェア、ハードウェア、または両方を含む下位構成要素に分けることができる。さらに、適用可能な場合、ソフトウェア構成要素はハードウェア構成要素として実装され得ることが企図され、その逆も同様である。
【００５６】
本開示によれば、プログラムコードおよび/またはデータなどのソフトウェアは、1つまたは複数の非一時的機械可読媒体に記憶することができる。本明細書で識別されるソフトウェアは、ネットワーク化された、および/またはその他の方式の、1つまたは複数の汎用または特定目的のコンピュータおよび/またはコンピュータシステムを使用して実装され得ることも企図されている。適用可能な場合、本明細書で説明する様々なステップの順序が変更され、合成ステップに結合され、かつ/またはサブステップに分割されて、本明細書で説明する機能を提供することがある。
【００５７】
上記で説明した実施形態は例示であるが、本発明を限定しない。本発明の原理に従って多数の変更および変形が可能であることも理解されたい。したがって、本発明の範囲は、以下の特許請求の範囲によってのみ定義される。
【符号の説明】
【００５８】
100  ワイヤレス通信システム
102  送信機デバイス/イニシエータ
104  レスポンダデバイス
106  被干渉機
108  被干渉機
120  共同コントローラ
122  送信機
126  受信機
200  ワイヤレス通信システム
202  イニシエータ
204  レスポンダ
206  レスポンダ
208  レスポンダ
210  被干渉機
212  被干渉機
600  ワイヤレス通信システム
602  データソース
604  データ受信機インターフェース
620  送信機デバイス
621  制御インターフェース
622  コントローラ
624  ベースバンド信号プロセッサ
626  アダプティブビームフォーミングアンテナ
628  ワイヤレス通信チャネルインターフェース
630  レスポンダデバイス
631  制御インターフェース
632  コントローラ
634  ベースバンド信号プロセッサ
636  アダプティブビームフォーミングアンテナ
638  ワイヤレス通信チャネルインターフェース
652  データポートインターフェース
654  データレンダラ
656  データシンク
700  ワイヤレス通信システム
702  イニシエータ
704  レスポンダ
706  被干渉機
708  被干渉機
802  イニシエータ
804  レスポンダ
806  被干渉機
808  被干渉機
902  イニシエータ
904  レスポンダ
906  被干渉機
908  被干渉機
1002  イニシエータ
1004  レスポンダ
1006  レスポンダ
1008  レスポンダ
1010  被干渉機
1012  被干渉機
1102  イニシエータ
1104  レスポンダ
1106  レスポンダ
1108  レスポンダ
1110  被干渉機
1112  被干渉機
1114  BRPポール
1116  BRPポール
1202  イニシエータ
1204  レスポンダ
1206  レスポンダ
1208  レスポンダ
1210  被干渉機
1212  被干渉機
1302  イニシエータ
1304  レスポンダ
1306  被干渉機
1308  被干渉機
【図１】
2018526855.tif 000003
【図２】
2018526855.tif 000004
【図３】
2018526855.tif 000005
【図４】
2018526855.tif 000006
【図５】
2018526855.tif 000007
【図６】
2018526855.tif 000008
【図７】
2018526855.tif 000009
【図８】
2018526855.tif 000010
【図９】
2018526855.tif 000011
【図１０】
2018526855.tif 000012
【図１１】
2018526855.tif 000013
【図１２】
2018526855.tif 000014
【図１３】
2018526855.tif 000015
【図１４】
2018526855.tif 000016
【図１５】
2018526855.tif 000017
【国際調査報告】
2018526855.tif 000018
2018526855.tif 000019